(57)【要約】      （修正有）【課題】全体の寸法の抑制を図りつつ収容力を確保し、収納物が少なくなった場合のスペースの無駄を抑制する小物入れを提供する。【解決手段】小物入れ１に、内部に両端が開放された収納空間をそれぞれ有する複数の収納部４と、収納部４間の境界に設けた破断補助部５とを有する外ケース２を具備させる。複数の該収納部それぞれに収納物を収納するようにして、小物入れ全体としての収納力を確保しつつ、小物入れの厚さ寸法及び収納空間の深さ寸法を抑え、収納物を取り出し易くする。また使用に先立ち、各収納部を破断補助手段に沿って破断することにより、少量ずつ使用に供することができる。【選択図】図５
0003142914.tif 000002
【実用新案登録請求の範囲】
【請求項１】
内部に両端が開放された収納空間をそれぞれ有する複数の収納部と、収納部間の境界に設けた破断補助部とを有する外ケースを具備することを特徴とする小物入れ。
【請求項２】
各収納部が、それぞれ略同一の横断面形状を有する筒状部材であることを特徴とする請求項１記載の小物入れ。
【請求項３】
前記破断補助部が収納部間の境界に設けたミシン目であることを特徴とする請求項１又は２記載の小物入れ。
【請求項４】
各収納部が、それぞれ収納空間に略隙間なく収納可能な内ケースを有することを特徴とする請求項１、２又は３記載の小物入れ。
【請求項５】
各収納部のうち少なくとも１つに内部を視認可能にするための開口窓を設けていることを特徴とする請求項１、２、３又は４記載の小物入れ。
【請求項６】
各収納部が、それぞれ収納空間に略隙間なく収納可能な内ケースを有するとともに、各収納部のうち少なくとも１つに内部を視認可能にするための開口窓を設けているものであって、前記内ケースが、前記開口窓に該内ケースの収納した収納物を視認可能に臨ませる表示態様と、前記内ケースの底面を開口窓に臨ませる隠蔽態様とを選択可能に前記収納空間に収納可能であることを特徴とする請求項１、２又は３記載の小物入れ。
【請求項７】
各収納部の端部に収納空間内の収納物又は内ケースに指掛け可能にすべく切欠き部を設けていることを特徴とする請求項１、２、３、４、５又は６記載の小物入れ。
【考案の詳細な説明】
【技術分野】
【０００１】
本発明は、カード類などの小物を収納するための小物入れに関する。
【背景技術】
【０００２】
従来、名刺などのカード類を収納するための小物入れとしては、所定枚数を収納可能にすべく相応の深さ寸法を有する単一の収納空間を内部に有する箱状のものが知られている（例えば、非特許文献１を参照）。
【非特許文献１】キッツエム、“キッツエム  名刺ケース販売”、[online]、平成13年、キッツエム、［平成20年4月15日検索］、インターネット<URL:http://www.kitsm.jp/meishi.htm>
【考案の開示】
【考案が解決しようとする課題】
【０００３】
しかし、深さ寸法を大きくすると、内容物の量が少なくなった場合に、取り出しに手間がかかると感じられる場合がある。また、内容物の量が少なくなっても小物入れのかさは変わらず、スペースの無駄が生じる場合もある。加えて、郵便物としてこのような小物入れを送付する場合、厚さ寸法が大きいと定形郵便物でなく定形外郵便物として送付しなければならなくなる。
【０００４】
本考案は、このような課題を解決すること、すなわち、収納力を落とすことなく厚さ寸法を抑制でき、内容物の減量に応じてかさを低くできる小物入れを提供することを目的とする。
【課題を解決するための手段】
【０００５】
すなわち本考案に係る小物入れは、内部に両端が開放された収納空間をそれぞれ有する複数の収納部と、収納部間の境界に設けた破断補助部とを有する外ケースを具備することを特徴とする。
【０００６】
このようなものであれば、複数の収納部それぞれに収納物を収納するようにして、小物入れ全体としての収容力を確保しつつ小物入れの厚さ寸法及び収納空間の深さ寸法を抑え、収納物を取り出しやすくすることができる。また、使用に先立って各収納部を破断補助手段に沿って破断することにより、少量ずつ使用に供することができるとともに、持ち運びの際のかさを低くできる。
【０００７】
このような小物入れを容易に形成できる態様として、各収納部が、それぞれ略同一の横断面形状を有する筒状部材であるものが挙げられる。このようなものであれば、単一の筒状部材に破断補助部を設けることにより、各破断補助部間の部位をそれぞれ筒状の収納部として形成できるからである。
【０００８】
収納部の切り離しを容易に行える破断補助部の構成として、前記破断補助部が収納部間の境界に設けたミシン目であるものが挙げられる。このようなものであれば、ミシン目に沿って外ケースを破断することにより、収納物を使い切った収納部を切り離すことができるからである。
【０００９】
運搬時などの型くずれを抑制できる態様として、各収納部が、それぞれ収納空間に略隙間なく収納可能な内ケースを有するものが挙げられる。
【００１０】
収納空間内に収納した収納物を容易に確認できるようにするための構成として、各収納部のうち少なくとも１つに内部を視認可能にするための開口窓を設けているものが挙げられる。
【００１１】
また、収納空間内に収納した収納物を容易に確認できるようにしつつ、収納物が個人情報を印刷してなるカード等である場合など収納物を露出させないようにすべき場合にも好適に対応できる態様として、各収納部が、それぞれ収納空間に略隙間なく収納可能な内ケースを有するとともに、各収納部のうち少なくとも１つに内部を視認可能にするための開口窓を設けているものであって、前記内ケースが、前記開口窓に該内ケースに収納した収納物を視認可能に臨ませる表示態様と、前記内ケースの底面を開口窓に臨ませる隠蔽態様とを選択可能に前記収納空間に収納可能であるものが挙げられる。このようなものであれば、収納物を露出させないようにすべき場合には、前記内ケースを隠蔽態様として前記収納空間に収納することにより、内ケースに収納した収納物でなく内ケースの底面を開口窓に臨ませるようにして、内ケースに収納した収納物を外部から隠蔽できるからである。
【００１２】
収納空間内の収納物を取り出しやすくするための態様として、各収納部の端部に収納空間内の収納物又は内ケースに指掛け可能にすべく切欠き部を設けているものが挙げられる。特に、内ケースを設ける態様であれば、内ケースに指を掛けて内ケースをスライド移動させることにより、内ケース及び該内ケースに収納した収納物を容易に取り出すことができる。
【考案の効果】
【００１３】
本考案に係る小物入れの構成によれば、複数の収納部それぞれに収納物を収納するようにして、小物入れ全体としての収容力を確保しつつ小物入れの厚さ寸法及び収納空間の深さ寸法を抑えることができる。また、使用に先立って各収納部を破断補助手段に沿って破断することにより少量ずつ使用に供することができるとともに、持ち運びの際のかさを低くし、スペースの無駄を減らすことができる。
【考案を実施するための最良の形態】
【００１４】
以下、本考案の第一実施形態について図面を参照しつつ述べる。
【００１５】
本実施形態に係る小物入れ１は、収納物として小型名刺を想定している。また、本実施形態に係る小物入れ１は、外ケース２と、内ケース３とを具備する。この小物入れ１の平面図を図１に示す。また、内ケース３の平面図を図２に示す。さらに、図１におけるｘ−ｘ断面の拡大図を図３に示す。
【００１６】
外ケース２は、前記図１に示すように、複数の収納部４と、収納部４間の境界に設けた破断補助部５とを有する。また、この外ケース２の厚さ寸法ｄは、定形郵便物としての郵送を可能にすべく、１０ｍｍ以下の所定値、例えば９ｍｍに設定している。なお、本実施形態では、収納部４は３個設けている。
【００１７】
前記収納部４は、それぞれ略同一の横断面形状を有する筒状部材である。具体的には、前記図１及び図３に示すように、厚紙を折り曲げて底壁４１、側壁４２、４２、及び上壁４３を備えた筒状連続体として外ケース２を形成し、この途中に破断補助部５を設けている。この破断補助部５によりそれぞれ区成される領域をそれぞれ収納部４としている。破断補助部５としては、具体的には厚紙に施したミシン目を設けている。また、各収納部４の底壁４１、側壁４２、４２、及び上壁４３により区成される空間を収納空間４ｓとしている。この収納空間４ｓは、外ケース２の長手方向両端部に向かう方向に開口している。さらに、各収納部４には、それぞれ端部に収納空間４ｓ内の収納物、具体的には収納空間４ｓ内に収納した内ケース３に指掛け可能にすべく切欠き部４ｘを設けている。さらに詳述すると、端部の収納部４には、半円弧状の切り欠きを設け、この切り欠きを切欠き部４ｘとしている。中間部の収納部４には前記破断補助部５上に円形の孔４ｃを穿設していて、この孔４ｃを前記破断補助部５の両側にそれぞれ位置する両収納部４、４の切欠き部４ｘ、４ｘとしている。なお、本実施形態では、各収納部４の平面視短辺同士を隣接させるようにしている。
【００１８】
内ケース３は、前記図２及び図３に示すように、小型名刺の裏面を支持する底壁３１と、両側面を支持する側壁３２、３２と、端部を包持する端壁３３、３３とを備えている。具体的には、この内ケース３は、１枚の厚紙を折り曲げて形成している。収納部４の内法寸法は、前記図５に示すように、この内ケース３を隙間なく収納しうる寸法に設計している。また、内ケース３の長手寸法は、各収納部４の収納空間４ｓに収まる寸法に設定している。具体的には、内ケース３の長手寸法は、２つの破断補助部５、５間の距離、ないし一方の破断補助部５と該破断補助部５に近い側の外ケース２の端縁との距離にほぼ等しくしている。
【００１９】
この小物入れ１は、小型名刺をそれぞれ収納した前記内ケース３を、各収納部４内に収納することにより形成している。
【００２０】
ここで、この小物入れ１の使用態様について述べる。
【００２１】
まず、この小物入れ１は、初期状態では、前記図１に示すように、また、この小物入れ１の斜視図を図４に示すように、小型名刺を収納した３個の内ケース３を、各収納部４に収納している。これら３個の内ケース３には、底壁３１と端壁３３、３３との空間一杯に小型名刺をそれぞれ積層させた状態で収納している。
【００２２】
また、この小物入れ１は、予め破断補助部５であるミシン目に沿って各収納部４を切り離し、小型名刺が収納された前記内ケース３を収納空間４ｓ内部に有する収納部４を１つだけ持ち運び使用するようにしている。各収納部４を全て切り離した状態の斜視図を図５に示す。なお、各収納部４を予め全て切り離す代わりに、使用直前に収納部４を１つだけ切り離すようにしてももちろんよい。
【００２３】
この小物入れ１に収納した小型名刺を配布する際には、まず、小物入れ１の端部に位置する収納部４の切欠き部４ｘを介して内ケース３が露出している部位に指を掛けて該内ケース３を把持する。次いで、把持した内ケース３をスライド移動させて外ケース２から取り出す。すると、この内ケース３内に収納した小型名刺を取り出し可能になるので、内ケース３から小型名刺を取り出す。そして、内ケース３に小型名刺がまだ残っている場合には、内ケース３を再び外ケース２の収納部４に挿入する。
【００２４】
なお、収納部４を切り離さず、一端側の収納部４に収納された内ケース３内の小型名刺を順次配布するようにしてもよい。この場合、内ケース３内の小型名刺を全て使い切った際には、前記内ケース３が収納されていた収納部４と、該収納部４に隣接する収納部４との境界に位置する破断補助部５であるミシン目に沿って、前記内ケース３が収納されていた収納部４を切り離す一方、小物入れ１の残りの部分を次回の使用の際まで保管しておくとよい。
【００２５】
以上に述べた本実施形態に係る小物入れ１の構成によれば、複数の収納部４それぞれの収納空間４ｓ内に小型名刺を収納するようにして、小物入れ１全体としての収容力を確保しつつ小物入れ１の厚さ寸法を抑えることができる。また、使用に先立って前記内ケース３に小型名刺が収納された状態のまま各収納部４を破断補助手段５に沿って破断することにより少量ずつ使用に供することができるとともに、持ち運びの際のかさを低くし、スペースの無駄をなくすことができる。一方、一端側の収納部４に収納された内ケース３内の小型名刺を順次配布する態様を採用しても、収納空間４ｓ内の小型名刺を使い切った収納部４を破断補助部５に沿って順次破断することにより、小物入れ１のかさを順次低くできる。すなわち、小物入れ１内の小型名刺が少なくなった場合、それにつれて小物入れ１のかさを順次低くし、スペースの無駄をなくすことができる。
【００２６】
また、各収納部４が、それぞれ略同一の横断面形状を有する筒状部材であるので、１枚の厚紙を折り曲げて形成する単一の筒状部材たる外ケース２に破断補助部５を設けることにより、各破断補助部５間の部位をそれぞれ筒状の収納部４として形成でき、このような小物入れ１を容易に形成することができる。
【００２７】
さらに、破断補助部５が収納部４間の境界に設けたミシン目であるので、このミシン目に沿って収納部４の切り離しを容易に行うことができる。
【００２８】
加えて、各収納部４が、それぞれ収納空間４ｓに略隙間なく収納可能な内ケース３を有するので、運搬時などの型くずれを抑制できる。
【００２９】
そして、各収納部４の端部に収納空間４ｓ内の内ケース３に指掛け可能にすべく切欠き部４ｘを設けているので、この切欠き部４ｘを介して内ケース３に指を掛け、内ケース３をスライド移動させることにより、小型名刺を収納した内ケース３を収納部４から容易に取り出すことができる。
【００３０】
なお、本実施形態では、収納部を３個設けているが、収納部は２個だけ設けるようにしてもよく、また、４個以上設けてもよい。
【００３１】
次に、本考案の第二実施形態について述べる。
【００３２】
本実施形態に係る小物入れＡ１は、収納物として通常の名刺を想定している。
【００３３】
また、本実施形態に係る小物入れＡ１も、第一実施形態に係る小物入れ１と同様に、外ケースＡ２と、内ケースＡ３とを具備する。この小物入れＡ１の平面図を図６及び図７に示す。また、前記内ケースＡ３の斜視図を図８に示す。さらに、図６におけるｙ−ｙ断面図を図９に示す。
【００３４】
外ケースＡ２は、前記図６及び図７に示すように、複数の収納部Ａ４と、収納部Ａ４間の境界に設けた破断補助部Ａ５とを有する。ここで、収納部Ａ４は、本実施形態では２個設けている。
【００３５】
前記収納部Ａ４は、それぞれ略同一の横断面形状を有する筒状部材である。具体的には、厚紙を折り曲げて底壁Ａ４１、側壁Ａ４２、Ａ４２、及び上壁Ａ４３を備えた筒状連続体として外ケースＡ２を形成し、この途中に破断補助部Ａ５を設けている。破断補助部Ａ５としては、具体的には厚紙に施したミシン目を設けている。また、各収納部Ａ４の底壁Ａ４１、側壁Ａ４２、Ａ４２、及び上壁Ａ４３により区成される空間を収納空間Ａ４ｓとしている。この収納空間Ａ４ｓは、外ケースＡ２の長手方向両端部に向かう方向に開口している。さらに、各収納部Ａ４には、それぞれ端部に収納空間Ａ４ｓ内の収納物、具体的には前記内ケースＡ３に指掛け可能にすべく切欠き部Ａ４ｘを設けている。具体的には、両収納部Ａ４について、他の収納部Ａ４に隣接しない側の端部の上壁Ａ４３には、半円弧状の切欠き部Ａ４ｘを設けている。一方、両収納部Ａ４が隣接する部位の上壁Ａ４３には前記破断補助部Ａ５上に円形の孔Ａ４ｃを穿設していて、この孔Ａ４ｃを両収納部Ａ４、Ａ４の切欠き部Ａ４ｘ、Ａ４ｘとしている。ここで、本実施形態では、各収納部Ａ４の平面視短辺同士を隣接させるようにしている。なお、図１２の実線に示すように、切欠き部Ａ４ｘを側壁Ａ４２に設けてもよい。また、同図の想像線に示すように、切欠き部Ａ４ｘを底壁Ａ４１に設けてもよい。
【００３６】
加えて本実施形態では、前記図６及び図７に示すように、また、この小物入れＡ１の斜視図を図１０に示すように、前記収納部Ａ４のうち１つの上壁Ａ４３に、内部を視認可能にするための開口窓Ａ４ａを設けている。さらに、この開口窓Ａ４ａは、透明なフィルム状の部材、例えばポリプロピレン製のフィルムＡ６により閉塞している。
【００３７】
内ケースＡ３は、名刺の裏面を支持する底壁Ａ３１と、両側面を支持する側壁Ａ３２と、端部を包持する端壁Ａ３３とを備えている。この内ケースＡ３は、１枚の厚紙を折り曲げて形成している。また、この内ケースＡ３の底壁Ａ３１の幅寸法及び高さ寸法は、名刺の幅寸法及び高さ寸法と略一致させている。収納部Ａ４の内法寸法は、この内ケースＡ３を隙間なく収納しうる寸法に設計している。内ケースＡ３の長手寸法は、各収納部Ａ４の収納空間Ａ４ｓに収まる寸法、具体的には前記破断補助部Ａ５と外ケースＡ２の端縁との距離にほぼ等しい寸法に設定している。
【００３８】
この小物入れＡ１については、名刺をそれぞれ収納した内ケースＡ３を、各収納部Ａ４内に収納することにより形成している。なお、各収納部Ａ４の内法寸法は、前段で述べたように内ケースＡ３を隙間なく収納しうる寸法に設計していて、また、前記内ケースＡ３の内法寸法は名刺に略一致させている。すなわち、この小物入れＡ１全体の内法寸法は名刺を２枚長手寸法に隣接させたものに内ケースＡ３の厚みを加えたものに対応する。また、この小物入れＡ１全体の外法寸法は前記内法寸法に前記外ケースＡ２の厚みを加えたものに対応する。なお、外ケースＡ２の厚さ寸法が定形郵便物の規格である１０ｍｍ以下の所定値、例えば９ｍｍであれば定形郵便物としての郵送が可能である。一般的な名刺の寸法は９１ｍｍ×５５ｍｍであり、この小物入れＡ１の平面外法寸法は名刺を２枚長手方向に隣接させたものに略対応するので、この小物入れＡ１の平面外法寸法も定形郵便物の規格である２３５ｍｍ×１２０ｍｍより小さくなるからである。
【００３９】
また、本実施形態では、この内ケースＡ３は、該内ケースＡ３に収納した名刺を視認可能な状態で前記開口窓Ａ４ａに臨ませる表示態様Ｄと、前記内ケースＡ３の底面すなわち底壁Ａ３１の裏面Ａ３１ａを開口窓Ａ４ａに臨ませる隠蔽態様Ｈとを選択可能に前記収納空間Ａ４ｓ内に収納可能である。ここで、前記図６及び図１０には、内ケースＡ３を前記隠蔽態様Ｈにして収納空間Ａ４ｓに収納した状態を示している。一方、前記図７には、内ケースＡ３を前記表示態様Ｄにして収納空間Ａ４ｓに収納した状態の平面図を示している。前記隠蔽態様Ｈは、例えばこの小物入れＡ１に名刺を印刷した状態で輸送する際等、収納物を視認可能にすべきでない場合に用いる。また、この隠蔽態様Ｈで内ケースＡ３を外ケースＡ２の収納部Ａ４に収納すると、上述したように前記内ケースＡ３の底面すなわち底壁Ａ３１の裏面Ａ３１ａが開口窓Ａ４ａに臨むようになるが、この内ケースＡ３の底壁Ａ３１の裏面Ａ３１ａを広告等を表示するための表示手段としている。すなわち、この小物入れＡ１を広告媒体として使用するようにすべく、前記図６、図８、及び図１０に示すように、表示手段たる内ケースＡ３の底壁Ａ３１の裏面に広告等を印刷することもできる。また、この小物入れＡ１の装飾を行うべく内ケースＡ３の底壁Ａ３１の裏面Ａ３１ａに絵画や写真などを印刷することもできる。
【００４０】
ここで、この小物入れＡ１の使用態様について述べる。
【００４１】
まず、この小物入れＡ１は、初期状態では、前記図６及び図１０に示すように、２個の内ケースＡ３、Ａ３双方の底壁Ａ３１と端壁Ａ３３、Ａ３３との空間一杯に名刺をそれぞれ積層させた状態で内ケースＡ３に名刺を収納している。また、このように名刺を収納した内ケースＡ３を、各収納部Ａ４に収納している。さらに、一方の内ケースＡ３は、前記隠蔽態様Ｈで外ケースＡ２の収納部Ａ４に収納するようにしている。その際、内ケースＡ３に収納した名刺は外部空間から隠蔽され、内ケースＡ３の底壁Ａ３１の裏面Ａ３１ａが開口窓Ａ４ａに臨む。すなわち、前記開口窓Ａ４ａからは、内ケースＡ３の底壁Ａ３１の裏面Ａ３１ａが視認される。
【００４２】
また、この小物入れＡ１は、予め破断補助部Ａ５であるミシン目に沿って各収納部Ａ４を切り離し、名刺が収納された前記内ケースＡ３を収納空間Ａ４ｓ内部に有する収納部Ａ４を１つだけ持ち運び使用するようにしている。各収納部４を切り離した状態の斜視図を図１１に示す。
【００４３】
この小物入れＡ１に収納した名刺を配布する際には、まず、収納部Ａ４の切欠き部Ａ４ｘを介して外部に露出している内ケースＡ３を把持する。次いで、把持した内ケースＡ３をスライド移動させて外ケースＡ２から取り出す。すると、この内ケースＡ３内に収納した名刺が取り出し可能になるので、内ケースＡ３から名刺を取り出す。そして、内ケースＡ３内に名刺がまだ残っている場合には、内ケースＡ３を再び外ケースＡ２の収納部Ａ４に挿入する。ここで、開口窓Ａ４ａを有する収納部Ａ４に内ケースＡ３を収納している場合において、内ケースＡ３内の名刺を外部から視認させたくない場合は、この内ケースＡ３の底壁Ａ３１を開口窓Ａ４ａと同じ側に配して収納部Ａ４に挿入するようにしている。すると、該内ケースＡ３は前記隠蔽態様Ｈをとる。一方、名刺を外部から視認させる場合は、この内ケースＡ３の底壁Ａ３１を開口窓Ａ４ａと反対側に配して収納部Ａ４に挿入するようにしている。すると、該内ケースＡ３は前記表示態様Ｄをとる。すなわち、該内ケースＡ３に収納した名刺が視認可能な状態で前記開口窓Ａ４ａに臨む。
【００４４】
なお、収納部Ａ４を切り離さず、一方の収納部Ａ４に収納された内ケースＡ３内の名刺を順次配布し、次いで他方の収納部Ａ４に収納された内ケースＡ３内の名刺を順次配布するようにしてもよい。この場合、一方の内ケースＡ３内の名刺を全て使い切った場合には、前記内ケースＡ３が収納されていた収納部Ａ４と、他の収納部Ａ４との境界に位置する破断補助部Ａ５であるミシン目に沿って、前記内ケースＡ３が収納されていた収納部Ａ４を切り離し、他の収納部Ａ４のみを有する小物入れＡ１を次回の使用の際まで保管しておくようにするとよい。
【００４５】
以上に述べたように、本実施形態に係る小物入れＡ１の構成においても、前記第一実施形態に係る小物入れ１の構成の主な効果を得ることができる。すなわち、複数の収納部Ａ４それぞれに名刺を収納するようにして、小物入れ全体Ａ１としての収容力を確保しつつ小物入れＡ１の厚さ寸法を抑えることができる。また、使用に先立って前記内ケースＡ３に名刺が収納された状態のまま収納部Ａ４を破断することにより少量ずつ使用に供することができるとともに、持ち運びの際のかさを低くし、スペースの無駄をなくすことができる。さらに、一方の収納部Ａ４に収納された内ケースＡ３内の名刺を順次配布する態様を採用しても、収納空間Ａ４ｓ内の名刺を使い切った収納部Ａ４を破断補助部Ａ５に沿って順次破断することにより、小物入れＡ１のかさを低くし、スペースの無駄をなくすことができる。
【００４６】
また、各収納部Ａ４が、それぞれ略同一の横断面形状を有する筒状部材であるので、１枚の厚紙を折り曲げて形成する単一の筒状部材である外ケースＡ２に破断補助部Ａ５を設けることにより、各破断補助部間Ａ５の部位をそれぞれ筒状の収納部Ａ４として形成でき、このような小物入れＡ１を容易に形成することができる。
【００４７】
さらに、破断補助部Ａ５が収納部Ａ４間の境界に設けたミシン目であるので、このミシン目に沿って収納部Ａ４の切り離しを容易に行うことができる。
【００４８】
加えて、本実施形態では、収納部Ａ１のうちの１つに内部を視認可能にするための開口窓Ａ４ａを設けているので、収納空間Ａ４ｓ内に収納した名刺を容易に確認できる。
【００４９】
その一方で、前記内ケースＡ３が、前記開口窓Ａ４ａに該内ケースＡ３に収納した名刺を視認可能に臨ませる表示態様Ｄと、前記内ケースＡ３の底壁Ａ３１の裏面Ａ３１ａを開口窓Ａ４ａに臨ませる隠蔽態様Ｈとを選択可能に前記収納空間Ａ４ｓに収納可能であるので、名刺に印刷した個人情報を目視可能にすべきでない場合等にも好適に対応できる。
【００５０】
そして、各収納部Ａ４が、それぞれ収納空間Ａ４ｓに略隙間なく収納可能な内ケースＡ３を有するので、運搬時などの型くずれを抑制できる。
【００５１】
加えて、各収納部Ａ４の端部に収納空間Ａ４ｓ内の内ケースＡ３に指掛け可能にすべく切欠き部Ａ４ｘを設けているので、この切欠き部Ａ４ｘを介して内ケースＡ３の外部に露出した部位に指を掛けることにより、収納空間内Ａ４ｓの内ケースＡ３に収納した名刺を容易に取り出すことができる。
【００５２】
なお、本考案は以上に述べた実施形態に限らない。
【００５３】
例えば、上述した実施形態では、収納物として名刺を想定しているが、名刺以外のカードを収納物としてもよく、カード以外のもの、例えば所定寸法の矩形状に予め切断したシール等のシート状のものを収納物としてもよい。
【００５４】
また、いずれかの収納部に内部を視認可能にするための開口窓を設けている場合、この収納部には内ケースを収納せず、代わりに人形やキャラクターグッズ等を収納するようにしてもよく、直接名刺などのカード類を収納するようにしてもよい。もちろん、収納部に内ケースを収納し、この内ケースに人形やキャラクターグッズ等を収納してもよい。
【００５５】
加えて、上述した実施形態では筒状の収納部の収納空間を互いに連通させているが、収納空間の開口方向に直交する方向に複数の収納部を隣接させてもよい。
【００５６】
また、上述した実施形態では収納部の平面視短辺同士を隣接させているが、収納部の平面視長辺同士を隣接させるようにしてももちろんよい。
【００５７】
さらに、破断補助部としては、ミシン目でなく、例えば収納部間の境界部分を薄肉に形成してなる薄肉部を設けてもよい。このような薄肉部は、厚紙に切れ込みを設けることにより形成してもよい。また、１枚の樹脂製シートを折り曲げて外ケースを形成する場合、この破断補助部となるべき部位を予め薄肉に形成することにより破断補助部を形成してもよい。
【００５８】
また、各収納部の切欠き部は省略しても構わない。この場合、収納物の取り出しの便を図るには、内ケースに紐体を接着し、この紐体を収納空間の外側に露出させるとよい。このような態様であれば、一方の手で紐体を把持し、他方の手で外ケースを把持し、紐体と外ケースとを互いに離間する方向に相対移動させることにより内ケースを収納空間から引き出すことができるからである。
【００５９】
そして、外ケースの外面を広告等を表示するための表示手段としてもよい。すなわち、本発明に係る小物入れを広告媒体として使用するようにすべく、表示手段たる外ケースの外面に広告等を印刷してもよい。また、この小物入れの装飾を行うべく表示手段たる外ケースの外面に絵画や写真などを印刷してもよい。
【００６０】
その他、本考案の趣旨を損ねない範囲で種々に変形してよい。
【図面の簡単な説明】
【００６１】
【図１】本考案の第一実施形態に係る小物入れを示す平面図。
【図２】同実施形態に係る小物入れの内ケースを示す平面図。
【図３】図１におけるｘ−ｘ断面図。
【図４】同実施形態に係る小物入れの使用態様を示す斜視図。
【図５】同実施形態に係る小物入れの使用態様を示す斜視図。
【図６】本考案の第二実施形態に係る小物入れを示す平面図。
【図７】同実施形態に係る小物入れを示す平面図。
【図８】同実施形態に係る小物入れの内ケースを示す斜視図。
【図９】図６におけるｙ−ｙ断面図。
【図１０】同実施形態に係る小物入れを示す斜視図。
【図１１】同実施形態に係る小物入れの使用態様を示す斜視図。
【図１２】本考案の第二実施形態の変形例に係る小物入れを示す全体斜視図。
【符号の説明】
【００６２】
１、Ａ１…小物入れ
２、Ａ２…外ケース
３、Ａ３…内ケース
４、Ａ４…収納部
Ａ４ａ…開口窓
５、Ａ５…破断補助部
【図１】
0003142914.tif 000003
【図２】
0003142914.tif 000004
【図３】
0003142914.tif 000005
【図４】
0003142914.tif 000006
【図５】
0003142914.tif 000007
【図６】
0003142914.tif 000008
【図７】
0003142914.tif 000009
【図８】
0003142914.tif 000010
【図９】
0003142914.tif 000011
【図１０】
0003142914.tif 000012
【図１１】
0003142914.tif 000013
【図１２】
0003142914.tif 000014